(57)【特許請求の範囲】
【請求項１】
トラップケース内で回動機構によって、排水トラップ後端部の開口部が上方を向く封水姿勢と、前記開口部が後下方または下方を向く排水姿勢との間で回動される排水トラップ回動式便器において、
前記開口部が後方を向く後向き姿勢での前記排水トラップ後端部の上端部となる箇所に、前記開口部から排出された汚物が前記排水トラップ後端部へ乗り上げることを防止するための乗り上げ防止用突片を備えることを特徴とする排水トラップ回動式便器。
【請求項２】
前記乗り上げ防止用突片は、前記開口部が前記後向き姿勢にある状態で、上方に向けて突出し、その突出先端部は、前記開口部よりも前方に位置することを特徴とする請求項１に記載の排水トラップ回動式便器。
【請求項３】
前記トラップケースは、後方または後下方に向けて開口する排水口を備え、
前記排水姿勢は、前記開口部が後下方を向く姿勢であることを特徴とする請求項１または２に記載の排水トラップ回動式便器。
【発明の詳細な説明】
【技術分野】
【０００１】
本発明は、トラップケース内で排水トラップ後端部が回動機構により上下に回動される排水トラップ回動式便器に関するものである。
【背景技術】
【０００２】
従来から、特許文献１等によって、トラップケース内で排水トラップ後端部が回動機構により上下に回動される排水トラップ回動式便器が提案されている。
【０００３】
こういった排水トラップ回動式便器９では、図５（ａ）に示すように、トラップケース２に設けられた回動機構３によって、排水トラップ後端部４０を成すトラップ保持部３２の開口部４１が上方を向く封水姿勢と、開口部４１が後下方を向く排水姿勢との間で回動される。排水姿勢では、開口部４１がトラップケース２の下部に設けた排水口２０に向く状態となる。
【０００４】
この排水トラップ回動式便器９では、開口部４１が後方（真後ろ）を向く後向き姿勢のときに、排水トラップ後端部４０とトラップケース２の後壁２１との間が極力狭くなるように形成して、便器の前後幅のコンパクト化を図っている。また、このように形成することで、後向き姿勢での開口部４１を後壁２１によって蓋をしたようになる。そのため、後向き姿勢から排水姿勢に到達するまでの開口部４１からの水漏れを減らすことができ、排水姿勢において排水トラップ内の水を勢いよく放出することができる。これにより、節水化を図れる。
【先行技術文献】
【特許文献】
【０００５】
【特許文献１】特開平１１−２１００５５号公報
【発明の概要】
【発明が解決しようとする課題】
【０００６】
しかし、このように後向き姿勢の排水トラップ後端部４０とトラップケース２の後壁２１との間が狭くなるように形成すると、以下のような問題が発生するおそれがある。
【０００７】
すなわち、排水トラップ後端部４０が封水姿勢から下方に回動して後向き姿勢となった際に、図６（ａ）に示すように、開口部４１から排出された汚物が、開口部４１周縁とトラップケース２の後壁２１との間に挟まる。そして、この状態で排水トラップ後端部４０が排水姿勢へと下方に回動すると、図６（ｂ）に示すように、その汚物が排水トラップ後端部４０に乗り上げてしまう。このように汚物が排水トラップ後端部４０に乗り上げてしまっては、排水トラップ後端部４０の回動に支障が出たり、トラップケース２内に汚物が残留する等のおそれがある。
【０００８】
そこで、上記事情を鑑みて、本発明は、排水トラップ後端部に、開口部から排出された汚物が乗り上げることを抑制できる排水トラップ回動式便器を提案することを課題とする。
【課題を解決するための手段】
【０００９】
上記課題を解決する本発明は、トラップケース内で回動機構によって、排水トラップ後端部の開口部が上方を向く封水姿勢と、前記開口部が後下方または下方を向く排水姿勢との間で回動される排水トラップ回動式便器において、前記開口部が後方を向く後向き姿勢での前記排水トラップ後端部の上端部となる箇所に、前記開口部から排出された汚物が前記トラップ後端部へ乗り上げることを防止するための乗り上げ防止用突片を備えることを特徴とする。
【００１０】
また、前記乗り上げ防止用突片は、前記開口部が前記後向き姿勢にある状態で、上方に向けて突出し、その突出先端部は、前記開口部よりも前方に位置することが好ましい。
【００１１】
また、前記トラップケースは、その下部に、後方または後下方に向けて開口する排水口を備え、前記排水姿勢は、前記開口部が後下方を向く姿勢であることが好ましい。
【発明の効果】
【００１２】
本発明の排水トラップ回動式便器は、排水トラップ後端部に、開口部から排出された汚物が乗り上げることを抑制できる。
【図面の簡単な説明】
【００１３】
【図１】本発明の第一実施形態の排水トラップ回動式便器を示し、（ａ）は要部の側面断面図であり、（ｂ）は乗り上げ防止用突片を備えたトラップ保持部の斜視図である。
【図２】（ａ）（ｂ）は、同上の乗り上げ防止用突片によって、排水トラップ後端部の開口部から排出された汚物が排水トラップ後端部へ乗り上げることを防止する流れを説明するための説明図である。
【図３】本発明の第二実施形態の排水トラップ回動式便器を示し、（ａ）は要部の側面断面図であり、（ｂ）は乗り上げ防止用突片を備えたトラップ保持部の斜視図である。
【図４】（ａ）（ｂ）は、同上の乗り上げ防止用突片によって、排水トラップ後端部の開口部から排出された汚物が排水トラップ後端部へ乗り上げることを防止する流れを説明するための説明図である。
【図５】従来例の排水トラップ回動式便器を示し、（ａ）は要部の側面断面図であり、（ｂ）はトラップ保持部の斜視図である。
【図６】（ａ）（ｂ）は、同上の排水トラップ回動式便器において、排水トラップ後端部の開口部から排出された汚物が排水トラップ後端部へ乗り上げることを説明するための説明図である。
【発明を実施するための形態】
【００１４】
本発明を添付図面に示す実施形態に基づいて説明する。本発明においては、便器１に着座した人を基準として、図１（ａ）の左側を前方向とし、その逆側を後方向とし、図１（ａ）の上側を上方向とし、その逆側を下方向とする。また、図１（ａ）の手前側を左方向とし、その逆側を右方向として、各構成の説明を行う。
【００１５】
第一実施形態の排水トラップ回動式便器１は、便器本体のボウル部の排出口に前端が接続された排水トラップ４の後端が、図１（ａ）に示すようにトラップケース２内で回動機構３により上下に回動されるものである。なお、図示は省略するが、便器本体の前下部にボウル部を備え、便器本体の前上部に便座と便蓋を備える。そして、便器本体の後下部にトラップケース２を備え、便器本体の後上部に機能ケース（局部洗浄ノズル、温風装置、脱臭装置、給水装置、加温装置や、これらを制御する制御装置等を内蔵したもの）を備える。
【００１６】
排水トラップ４は、蛇腹状の管状体であり、屈曲柔軟性を有し、変形可能である。そして、この排水トラップ４を内蔵するトラップケース２は、中空の箱体であり、その前壁には、排水トラップ４の前端部が、トラップケース２内の空気や液体が外部に流出しないようにシール状態で固定されている。そして、トラップケース２の後壁２１には、その下端部に後方（真後ろ）に向けて開口する排水口２０が設けられている。なお、この排水口２０は、後下方に向けて開口するように設けてもかまわない。また、トラップケース２の側壁には、排水トラップ後端部４０を上下に回動させる回動機構３が備えてある。
【００１７】
回動機構３は、回動中心となる回動中心軸部３０と、排水トラップ４の後端を保持するトラップ保持部３２と、回動中心軸部３０とトラップ保持部３２とを連結する連結部３１と、回動中心軸部３０を回転させるモータ（図示せず）とから構成されている。回動機構３のうち、回動中心軸部３０がトラップケース２の側壁に回転自在に取り付けられており、この側壁外側に配設されたモータによって回動中心軸部３０は回転される。この回動中心軸部３０に連結部３１の一端部が固定されており、連結部３１の他端部にトラップ保持部３２が固定されている。これにより、モータの回転に伴って、排水トラップ後端部４０を成すトラップ保持部３２が上下に回動する。以下、このトラップ保持部３２については、排水トラップ４の後端に一体に設けた図１（ａ）に示す状態を基準として、説明を行う。
【００１８】
トラップ保持部３２は、図１（ｂ）に示すように略円環状である。トラップ保持部３２は、排水トラップ４の後端の開口周縁に、全周に亘って固定される。トラップ保持部３２は、下流端の開口部４１周縁の端面３３が、側面視円弧状となるように形成されている。この円弧は、回動中心軸部３０を中心とする円弧である。これにより、トラップ保持部３２が上下に回動する際、開口部４１周縁の端面３３全体が、回動中心軸部３０を中心とする所定の径の円軌跡Ｌ１上に位置する。
【００１９】
排水トラップ後端部４０を成すトラップ保持部３２は、回動機構３のモータによって、図１（ａ）に示す開口部４１が上方を向く封水姿勢と、開口部４１が真後ろよりわずかに下がった後下方を向く排水姿勢との間で回動される。排水姿勢では、開口部４１がトラップケース２の排水口２０に向く状態となる。この封水姿勢において、排水トラップ４は封水される状態となり、排水姿勢において、便器本体のボウル部と排水トラップ４内の水及びティッシュペーパーなどの汚物はトラップケース２の排水口２０を介して外部の下水管へと排出される状態になる。
【００２０】
トラップケース２の後壁２１は、その内側面のうち、トラップ保持部３２の開口部４１が真後ろを向いた後向き姿勢におけるその開口部４１に対向する部分が、開口部４１との間の距離が僅かとなるように形成されている。これにより、この後壁２１の対向部分は、後向き姿勢における開口部４１から水や汚物が漏れ出すのを抑制する蓋のような役割を果たす。本実施形態では、図２に示すように、後壁２１の対向部分の内側面が、開口部４１周縁の端面３３に沿った円弧状となるように形成している。これにより、開口部４１と後壁２１との間を上下に亘って狭くできる。なお、上述の後壁２１の対向部分の内側面は、円弧状とすることに限定されず、後向き姿勢の開口部４１の端面３３に沿うとともに、開口部４１との間に僅かな隙間ができるように形成されればよい。
【００２１】
トラップ保持部３２は、図１（ｂ）に示すように、略円環状のトラップ保持部３２の径外方向に向けて突出する突出片部５０からなる乗り上げ防止用突片５を備える。乗り上げ防止用突片５は、トラップ保持部３２の外周面のうち、後向き姿勢でのトラップ保持部３２の上端部となる箇所４２に配置されている。また、乗り上げ防止用突片５は、左右方向に長尺の略矩形平板状をなしている。乗り上げ防止用突片５は、その突出先端部が、トラップ保持部３２を回動させた際に、トラップ保持部３２の端面３３がたどる円軌跡Ｌ１よりも少し大径の円軌跡を描くように形成されている。なお、本実施形態では、トラップ保持部３２の外周面の前後方向の中央部から、乗り上げ防止用突片５を、外周面に対して垂直となるように設けているが、必ずしも垂直である必要はなく、端面３３側に傾斜するように設けてもよい。
【００２２】
本実施形態では、図１（ａ）に示すように、排水姿勢において、乗り上げ防止用突片５がトラップケース２の後壁２１の手前に位置するかあるいは後壁２１に接触するように、排水姿勢の位置を設定している。すなわち、封水姿勢から排水姿勢へと回動する際に、乗り上げ防止用突片５が、後壁２１の手前で停止するか、あるいは後壁２１に当たった状態で停止するように、排水姿勢の位置を設定している。また、それに併せて、トラップケース２の排水口２０の位置を設定している。そのため、本実施形態では、乗り上げ防止用突片５の先端部を回動時に開口部４１よりも後壁２１側に近づくように突出させて形成しているものの、この先端部が通過するためのスペースを後向き姿勢における排水トラップ後端部４０と後壁２１間に設けなくてもよい。よって、この間の前後幅を抑えて、トラップケース２の前後幅、ひいては、便器の前後幅をコンパクト化することができる。
【００２３】
続いて、上述した回動機構３によって、排水トラップ後端部４０をなすトラップ保持部３２を封水姿勢から排水姿勢へと回動させる際の、排水トラップ４内の水や汚物が排出される様子を説明する。
【００２４】
排水トラップ後端部４０（トラップ保持部３２）を、封水姿勢から排水姿勢へと下方に回動させると、後向き姿勢となるあたりで、トラップ保持部３２の開口部４１がトラップケース２の後壁２１に近づく。このとき開口部４１から排水トラップ４内の水や汚物が流出しようとする。しかし、本実施形態では、開口部４１と後壁２１間の距離が短いため、開口部４１が後壁２１によって蓋をされたような状態となり、開口部４１からの水や汚物の流出量を抑えることができる。そのため、後向き姿勢から排水姿勢に到達するまでの開口部４１からの水漏れを減らして、排水姿勢において排水トラップ４内の水を勢いよく放出できる。これにより、節水化を図れる。
【００２５】
ここで、後壁２１によって流出を防止できなかった一部の汚物が、開口部４１周縁の端面３３と後壁２１との間に挟まってしまう場合がある。この開口部４１と後壁２１との隙間のうち、隙間下部に挟まった汚物は、開口部４１の下方への回動に伴ってそのまま流下して、トラップケース２の排水口２０へと流れる。
【００２６】
それに対して、隙間上部に挟まった汚物は、開口部４１に次いで、開口部４１よりも後壁２１側に近づくように下方に回動する乗り上げ防止用突片５によって、図２（ａ），図２（ｂ）に示すように、下方へと掻き落とされる。
【００２７】
そして、排水トラップ後端部４０が排水姿勢に位置した状態で、排水トラップ４内の水と汚物が、トラップケース２の排水口２０を介して、外部の下水管へと排出される。
【００２８】
以上のように、本実施形態では、乗り上げ防止用突片５を備えることによって、開口部４１から排出された汚物が、排水トラップ後端部４０に乗り上げてしまうことを防止できる。
【００２９】
続いて、図３，図４に示す第二実施形態の排水トラップ回動式便器１について説明する。第二実施形態の排水トラップ回動式便器１は、第一実施形態の排水トラップ回動式便器１とは、乗り上げ防止用突片５のみ異なる。そこで、第一実施形態の排水トラップ回動式便器１と同じ構成については図中に同じ符号を付けて詳しい説明は省略する。
【００３０】
第二実施形態の排水トラップ回動式便器１では、乗り上げ防止用突片５は、基端側の突出片部５０と、突出先端側の延出部５１とを備えている。突出片部５０は、排水トラップ後端部４０を成すトラップ保持部３２から、その径外方向に向けて突出している。延出部５１は、突出片部５０の突出方向よりもトラップ保持部３２の回動中心（回動中心軸部３０）側に傾斜した方向に突出している。つまり、乗り上げ防止用突片５は、開口部４１が真後ろを向いた後向き姿勢にある状態で、上方に向けて突出し、乗り上げ防止用突片５は途中で折れ曲がって、その突出先端部５３は、開口部４１よりも前方に位置する。この開口部４１が後向き姿勢にある状態で、突出片部５０は真上に向けて突出し、延出部５１は、この突出片部５０の突出先端部５２から突出先端側ほど前方に位置するように傾斜して突出している。突出片部５０と延出部５１とがなす角度は、本実施形態では、１３５度程度であるが、この角度は適宜設定可能である。
【００３１】
突出片部５０と延出部５１は、図３（ｂ）に示すように、左右方向に長尺の略矩形板状をなしている。突出片部５０は、その突出先端部５２が、トラップ保持部３２を回動させた際に、トラップ保持部３２の端面３３がたどる円軌跡Ｌ１よりも少し大径の円軌跡を描くように形成されている。なお、本実施形態では、突出片部５０を、開口部４１が後向き姿勢にある状態で、真上に向けて突出しているが、後上方に向けて突出してもよい。
【００３２】
また、本実施形態では、延出部５１は、図３（ａ）に示すように、突出片部５０の突出先端部５２が回動時に描く円軌跡の内側に収まる範囲で、突出片部５０との間になす角度が極力大きくなるように傾斜させて設けられている。これにより、限られた前後幅のトラップケース２内で、延出部５１、つまりは乗り上げ防止用突片５を極力長く形成することができる。なお、延出部５１は、トラップ保持部３２が回動する際に、トラップケース２に衝突しないように形成すればよく、延出部５１は、突出片部５０の突出先端部５２が回動時に描く円軌跡よりも外側に位置するようにしてもよい。
【００３３】
続いて、上述した乗り上げ防止用突片５を備えるトラップ保持部３２を封水姿勢から排水姿勢へと回動させる際の、排水トラップ４内の水や汚物が排出される様子を説明する。
【００３４】
図４（ａ），（ｂ）に示すように、開口部４１周縁（端面３３）と後壁２１との隙間上部に挟まった汚物は、開口部４１に次いで、開口部４１よりも後壁２１側に近づくように下方に回動する乗り上げ防止用突片５の突出片部５０によって、下方へと掻き落とされる。
【００３５】
このとき、本実施形態では、乗り上げ防止用突片５が延出部５１の分だけ長くなっているため、隙間上部に挟まった汚物が、乗り上げ防止用突片５を乗り越えにくくなっている。しかも、延出部５１は、図４（ａ）に示す後向き姿勢から図４（ｂ）に示す排水姿勢の際に、後側ほど下方に位置するように傾斜した様態となるため、延出部５１上の汚物は、後下方へ落下させることができる。これによっても、汚物が乗り上げ防止用突片５を乗り越えにくくなっている。
【００３６】
以上のように、本実施形態では、限られた前後幅のトラップケース２内で、乗り上げ防止用突片５を極力長く形成して、開口部４１から排出された汚物が、排水トラップ後端部４０に乗り上げてしまうことをさらに防止できるものとなっている。
【００３７】
以上まとめると、第一及び第二実施形態の排水トラップ回動式便器１では、トラップケース２内で回動機構３によって、排水トラップ後端部４０の開口部４１が上方を向く封水姿勢と、開口部４１が後下方を向く排水姿勢との間で回動される。そして、開口部４１が後方を向く後向き姿勢での排水トラップ後端部４０の上端部となる箇所４２に、開口部４１から排出された汚物が排水トラップ後端部４０へ乗り上げることを防止するための乗り上げ防止用突片５を備える。
【００３８】
このような構成とすることで、後向き姿勢の排水トラップ後端部４０とトラップケース２の後壁２１との間が狭くなるように形成しても、排水トラップ後端部４０が封水姿勢から排水姿勢へと下方に回動する際、開口部４１に次いで乗り上げ防止用突片５が下方に回動する。このとき、この乗り上げ防止用突片５によって、開口部４１から排出された汚物が排水トラップ後端部４０に乗り上げることを防止できる。よって、第一及び第二実施形態の排水トラップ回動式便器１では、排水トラップ後端部４０に開口部４１から排出された汚物が乗り上げることを抑制できる。
【００３９】
また、第二実施形態の排水トラップ回動式便器１では、乗り上げ防止用突片５は、開口部４１が前記後向き姿勢にある状態で、上方に向けて突出し、その突出先端部５３は、開口部４１よりも前方に位置する。
【００４０】
このような構成とすることで、第二実施形態の排水トラップ回動式便器１では、前後幅の限られたトラップケース２内で、乗り上げ防止用突片５を極力長く形成して、汚物の乗り越えを抑制することができる。
【００４１】
また、第一及び第二実施形態の排水トラップ回動式便器１では、トラップケース２は、その下部に、後方または後下方に向けて開口する排水口２０を備え、前記排水姿勢は、開口部４１が後下方を向く姿勢である。
【００４２】
このようにトラップケース２に後方または後下方に向けて開口する排水口２０を設けることによって、乗り上げ防止用突片５がトラップケース２の後壁２１に接触する手前もしくは、接触した箇所で止まるように排水姿勢を設定することができる。これにより、後向き姿勢の排水トラップ後端部４０と、トラップケース２の後壁２１との間に乗り上げ防止用突片５が通過するためのスペースを確保しなくてもよいので、この間の前後幅を抑えることができる。よって、トラップケース２の前後幅を抑えて、便器の前後幅のコンパクト化を図ることができる。
【００４３】
なお、上述した第二実施形態の乗り上げ防止用突片５は、開口部４１が真後ろを向いた後向き姿勢にある状態で、上方に向けて突出し、その突出先端部５３が、開口部４１よりも前方に位置するように形成すればよく、図３（ｂ）に示す形状に限定されない。例えば、乗り上げ防止用突片５を円弧状に屈曲させて形成してもよい。
【００４４】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４５】
１      排水トラップ回動式便器
２      トラップケース
２０    排水口
３      回動機構
４０    排水トラップ後端部
４１    開口部
４２    箇所
５      乗り上げ防止用突片
５３    突出先端部
【図１】
0005906415.tif 000002
【図２】
0005906415.tif 000003
【図３】
0005906415.tif 000004
【図４】
0005906415.tif 000005
【図５】
0005906415.tif 000006
【図６】
0005906415.tif 000007